(57)【要約】【課題】ソフトハンドオーバ通信中に起こり得る無線回線の瞬断を防ぎ、安定した受信性能を実現すること。【解決手段】遅延プロファイル生成部１０２は、受信信号と制御部１０１から通知された拡散コードとで相関をとり、遅延プロファイルを生成する。パス検出部１０３は、各遅延プロファイルから所定の閾値を越え、ピークがたつ位相点をパスとして決定する。フィンガ管理部１０４は、リンクしているセル毎に相関値の大きなパス上位Ｎ個をフィンガに割り当てる。さらに、割り当てた上位Ｎ個のパス以外でフィンガ閾値を越えたパスを、相関値の大きいものから優先的に残りのフィンガに割り当てる。逆拡散部１０５は、逆拡散タイミングに従って受信信号を逆拡散する。ＲＡＫＥ合成部１０６は、逆拡散部１０５から出力された逆拡散結果をＲＡＫＥ合成する。【選択図】　　　図１
2004064235.tif 000002
【特許請求の範囲】
【請求項１】
通信端末装置が複数のセルと通信中に、前記複数のセルから送信された信号に基づいて各セル毎の遅延プロファイルを生成し、生成した遅延プロファイルを基に、２以上の異なるセルから必ずパスを選択するようにし、選択したパスをフィンガに割り当てることを特徴とするフィンガ割り当て方法。
【請求項２】
逆拡散後の各フィンガの受信レベルを測定し、同一セルから送信された複数のパスのうち逆拡散後の受信レベルが最大受信レベルに対して所定値以下となるパスをＲＡＫＥ合成の対象から外すことを特徴とするＲＡＫＥ合成方法。
【請求項３】
通信中の複数のセルから送信された信号と既知信号との相関演算を行い、各セル毎の遅延プロファイルを生成する遅延プロファイル生成手段と、
各遅延プロファイルに基づいてパスを検出するパス検出手段と、
前記遅延プロファイル生成手段において生成された遅延プロファイルを基に、２以上の異なるセルから必ずパスを選択するようにし、選択したパスをフィンガに割り当てるフィンガ管理手段と、
前記フィンガ管理手段がフィンガに割り当てたタイミングで受信信号を逆拡散する逆拡散手段と、
を具備することを特徴とするＣＤＭＡ受信装置。
【請求項４】
前記フィンガ管理手段は、
リンク中の各セル毎の遅延プロファイルそれぞれから、相関値の上位いくつまでのパスを選択するかを指定するパス数指定手段と、
前記パス検出手段で検出されたパスのなかから相関値の大きいパスから順に前記パス数指定手段から指定されたパス数分それぞれの遅延プロファイルから選択し、選択したパスをフィンガに割り当てるフィンガ第１割り当て手段と、
前記フィンガ第１割り当て手段において割り当てられたパス以外で相関値の大きいパスから順に残りのフィンガに割り当てるフィンガ第２割り当て手段と、
を具備することを特徴とする請求項３に記載のＣＤＭＡ受信装置。
【請求項５】
前記フィンガ管理手段は、
リンク中のセルのうち必ずパスを割り当てるセルの数を指定するセル数指定手段と、
前記セル数指定手段において指定された各セル毎の遅延プロファイルそれぞれから、相関値の上位いくつまでのパスを選択するかを指定するパス数指定手段と、
前記パス検出手段において検出されたパスから、前記セル数指定手段において指定されたセル数と前記パス数指定手段において指定されたパス数とに基づいてパスを選択し、選択したパスをフィンガに割り当てるフィンガ第１割り当て手段と、
前記フィンガ第１割り当て手段において割り当てられたパス以外で相関値の大きいパスから順に残りのフィンガに割り当てるフィンガ第２割り当て手段と、
を具備することを特徴とする請求項３に記載のＣＤＭＡ受信装置。
【請求項６】
前記フィンガ管理手段は、
リンク中のセルのうち優先的にパスを割り当てるセルの数を指定するセル数指定手段と、
前記セル数指定手段において指定された各セル毎の遅延プロファイルそれぞれから、相関値の上位いくつまでのパスを選択するかを指定するパス数指定手段と、
前記セル数指定手段で指定されたセル数と前記パス数指定手段で指定されたパス数とに基づいて、前記パス検出手段で検出されたパスの相関値をオフセットさせるためのオフセット量を生成するオフセット生成手段と、
前記パス検出手段で検出されたパスのうち、前記オフセット量を付加した相関値を含めて相関値の大きいパスから順に選択し、選択したパスをフィンガに割り当てるフィンガ割り当て手段と、
を具備することを特徴とする請求項３に記載のＣＤＭＡ受信装置。
【請求項７】
ＳＳＤＴ制御適用時に前記セル数指定手段において指定されたセル数に基づいて選択されるパスは、個別物理チャネルを送信するプライマリセルからのパスであることを特徴とする請求項５又は請求項６に記載のＣＤＭＡ受信装置。
【請求項８】
前記セル数指定手段において指定されたセル数に基づいて選択されるパスは、共有制御物理チャネル用セルからのパスであることを特徴とする請求項５又は請求項６に記載のＣＤＭＡ受信装置。
【請求項９】
通信端末装置の受信環境を監視する受信環境監視手段と、
セル毎に選択されるパス数を前記受信環境に応じて指定するため前記パス数指定手段を制御する制御手段と、
を具備することを特徴とする請求項４から請求項６のいずれかに記載のＣＤＭＡ受信装置。
【請求項１０】
通信端末装置の受信環境を監視する受信環境監視手段と、
リンク中のセルのうちパスを割り当てるセル数を前記受信環境に応じて指定するため前記セル数指定手段を制御する制御手段と、
を具備することを特徴とする請求項５又は請求項６に記載のＣＤＭＡ受信装置。
【請求項１１】
通信端末装置の受信環境を監視する受信環境監視手段と、
前記受信環境に応じたオフセット量を生成するため前記オフセット生成手段を制御する制御手段と、
を具備することを特徴とする請求項６に記載のＣＤＭＡ受信装置。
【請求項１２】
フィンガを割り当てる周期に対して短い周期で逆拡散後の各フィンガの受信レベルを測定する受信レベル測定手段と、
前記逆拡散後の受信レベルに基づいて、前記受信レベル測定手段の測定周期毎にＲＡＫＥ合成の対象とするパスを選択するＲＡＫＥ合成パス選択手段と、
前記ＲＡＫＥ合成パス選択手段の選択結果に応じて逆拡散後の各フィンガ出力に重み付けを行う重み付け係数を決定する重み付け係数決定手段と、
前記重み付け係数を逆拡散後の各フィンガ出力に乗算し、乗算結果を合成するＲＡＫＥ合成手段と、
を具備することを特徴とするＣＤＭＡ受信装置。
【請求項１３】
通信端末装置の受信環境を監視する受信環境監視手段を具備し、
前記ＲＡＫＥ合成パス選択手段は、前記受信環境に応じてＲＡＫＥ合成の対象とするパスの選択を行うか否かを切り替える
ことを特徴とする請求項１２に記載のＣＤＭＡ受信装置。
【請求項１４】
前記受信レベル測定手段は、通信端末装置の受信環境に応じて受信レベルの測定周期を変更し、
前記ＲＡＫＥ合成パス選択手段は、前記受信レベル測定手段の測定周期に従ってＲＡＫＥ合成の対象とするパスを選択する
ことを特徴とする請求項１２に記載のＣＤＭＡ受信装置。
【請求項１５】
通信中の通信端末装置から送信された信号と既知信号との相関演算を行い、受信した各セル毎の遅延プロファイルを生成する遅延プロファイル生成手段と、
各遅延プロファイルに基づいてパスを検出するパス検出手段と、
前記遅延プロファイル生成手段において生成された遅延プロファイルを基に、２以上の異なるセルから必ずパスを選択するようにし、選択したパスをフィンガに割り当てるフィンガ管理手段と、
前記フィンガ管理手段がフィンガに割り当てたタイミングで受信信号を逆拡散する逆拡散手段と、
を具備することを特徴とする基地局装置。
【発明の詳細な説明】
【０００１】
【発明の属する技術分野】
本発明は、ＣＤＭＡ（Ｃｏｄｅ　Ｄｉｖｉｓｉｏｎ　Ｍｕｌｔｉｐｌｅ　Ａｃｃｅｓｓ）受信装置及びフィンガ割り当て方法に関する。
【０００２】
【従来の技術】
従来、１つのセクタを複数のセルに分割したセル構成がある。通信端末装置は、このようなセル構成において、１つの基地局装置と通信中にセルエッジ付近に移動した場合、複数の基地局装置との同時通信を始める。同時に通信を行っている複数の基地局装置のうち、通信端末装置は移動によって所定の受信品質を確保できる基地局装置との通信にシームレスに切り替える。これをソフトハンドオーバ（ＳＨＯ）という。特に、以下において、通信端末装置が複数の基地局装置と同時に通信を行っている状態をＳＨＯ通信ということにする。
【０００３】
図１７は、ＳＨＯ通信中の下り受信の様子を示す概念図である。この図において、通信端末装置は、３セクタ４セルと同時にリンクしている。すなわち、通信端末装置は、セクタ＃Ａのセル＃Ａ及びセル＃Ｄ、セクタ＃Ｂのセル＃Ｂ、セクタ＃Ｃのセル＃Ｃとリンクしている。また、建物や山による反射により、セル＃Ｂ及びセル＃Ｄから遅延波（パス＃Ｂ＃２、パス＃Ｄ＃２）が到来している。通信端末装置は、同時に４セル分の遅延プロファイルを生成し、パス検出を行う。パス検出については後述する。
【０００４】
これにより、通信端末装置は６つのパスがに到来したことが分かり、検出した６パスをフィンガに割り当てる。各セルからの受信信号はフィンガで逆拡散され、ＲＡＫＥ合成された後、復調される。
【０００５】
ここで、パス検出について説明する。通信端末装置は、生成した遅延プロファイルにおいて、ピークを検出し、そのピークの示す相関値が所定の閾値（以下、「フィンガ閾値」という）を越えた場合、ピークの位相点をパスとしてフィンガに割り当てるものとする。このフィンガ閾値は、予め設定された関数演算で求められるか定数で設定され、フィンガ閾値を越えるピークがたつ位相点は、ノイズではなくパスである可能性が高くなるように設定される。このため、フィンガ閾値を越える相関値のパスをフィンガに割り当て、逆拡散以降の処理をした場合、多少の誤りがあっても、ある程度の復号が可能である。
【０００６】
通信端末装置がＳＨＯ通信中に、フィンガ閾値を越える複数のパスが存在する場合は、相関値の大きいパスから優先的にフィンガに割り当てる。一方、フィンガ閾値を越えるパスが１つもない場合は、相関値の最も大きい位相点をパスとしてフィンガに割り当てる。
【０００７】
図１８は、従来におけるＳＨＯ通信中のフィンガ割り当ての様子を説明するための図である。この図では、ある通信端末装置がセル＃Ａからセル＃Ｄまでの４セルとＳＨＯを行っている場合とし、単位シンボル当たりの相関値でセル毎に生成した遅延プロファイルを示している。それぞれの遅延プロファイルは、左から順にセル＃Ａからセル＃Ｄの遅延プロファイルであり、全ての遅延プロファイルに共通するフィンガ閾値Ｔｈ１を点線で示している。この図の場合、４つの遅延プロファイルにおいて、フィンガ閾値Ｔｈ１を越えるパスは６つ存在する。実際には、フィンガ閾値を越えるか越えないかに関わらず、相関値の大きな位相点がパスとして管理される。
【０００８】
図１８に示すように、各遅延プロファイルから得られた全ての相関値の中から相関値の大きいパスほどフィンガに割り当てられる優先順位が高い。すなわち、４つの遅延プロファイルから得られた６つのパスのうち、最大の相関値となるパスはパス＃Ａ＃１（相関値１位）であり、フィンガ割り当て優先順位は第１位となる。次に大きい相関値となるパスはパス＃Ｂ＃１（相関値２位）であり、フィンガ割り当て優先順位は第２位となる。同様に、３番目に大きい相関値のパスから６番目に大きい相関値のパスのフィンガ割り当て優先順位が決まる。この優先順位に従って、実装しているフィンガ数分、上位のパスからフィンガに割り当てる。これが、従来のフィンガ割り当て方法である。
【０００９】
次に、３ＧＰＰ−ＩＭＴ２０００システムのＳＳＤＴ（Ｓｉｔｅ　Ｓｅｌｅｃｔｉｏｎ　Ｄｉｖｅｒｓｉｔｙ　Ｔｒａｎｓｍｉｔ　Ｐｏｗｅｒ　Ｃｏｎｔｒｏｌ）制御について説明する。ＳＳＤＴ制御は、ＳＨＯ通信時に適用されるパワーコントロール方法である。通信端末装置は、通信中の複数の基地局装置から送信される共通パイロットチャネル（ＣＰＩＣＨ：　Ｃｏｍｍｏｎ　ＰＩｌｏｔＣＨａｎｎｅｌ）の受信パワを測定し、受信パワが最大となるセルをプライマリセルとして決定する。ＳＨＯ通信時にリンクしている複数のセルのうち、通信端末装置によって決定されたプライマリセルのみが個別物理チャネル（ＤＰＤＣＨ：　Ｄｅｄｉｃａｔｅｄ　Ｐｈｙｓｉｃａｌ　Ｄａｔａ　ＣＨａｎｎｅｌ）を送信する。これにより、プライマリセルからのみ下りリンクの送信を行うことで、下りの干渉量の増大を防ぐことができ、全体として周波数当たりの通信端末装置の収容能力を高めることができる。
【００１０】
【発明が解決しようとする課題】
しかしながら、従来のフィンガ割り当て方法では、１セルからの複数パスを集中的にフィンガに割り当ててしまう場合があり、このような場合に通信端末装置が移動に伴って建物の影などに入るシャドウイング等により、受信において支配的な役割を担っていたセルのパスが急に失われることがある。このため、パス検出の周期、割り当て速度によっては受信できない期間（無線回線の瞬断）が発生する確率が高い。
【００１１】
また、ＳＨＯ通信時に複数のセルとリンクできる個別物理チャネルと、１セルしかリンクできない共有制御物理チャネルを同時受信するシステムでは、複数のコード番号やコード位相などを一まとめとして設定し、１つのフィンガとして多重コードに対応するハードウェア構成を使用する場合、共有制御物理チャネルを送信するセルのパスは、必ずフィンガに割り当てられていないと逆拡散することができず、結果的に共有制御物理チャネルを復号することができない。
【００１２】
さらに、ＳＳＤＴ制御を適用する場合、プライマリセルのパスが所定の期間にフィンガに割り当てられていないと個別物理チャネルを復号することができない。これについて、以下に図１９を用いて詳しく説明する。
【００１３】
図１９は、従来におけるＳＳＤＴ制御適用時のＲＡＫＥ合成部の合成タイミング図である。この図において、フィンガに割り当てるパスを１フレーム毎に更新（フィンガ割り当て周期：１フレーム）し、個別物理チャネルの送信を行うプライマリセルを３スロット毎に更新（ＳＳＤＴ制御周期：３スロット）し、フレームバウンダリでは必ずＳＳＤＴ制御のバウンダリとなるタイミングとしている。また、フィンガ数を６とし、従来のフィンガ割り当て方法で割り当てた場合のパスを図に示す。パス＃Ａ＃１は、セル＃Ａから到来する識別番号１のパスを示している。なお、割り当てパス情報で示された網掛け部分は、ＲＡＫＥ合成対象のパスが割り当てられていることを示している。
【００１４】
図１９では、ＳＳＤＴ制御周期ｉｉにおいて区間Ｗ１のタイミングでフィンガに割り当てられているセル毎に共通パイロットチャネルの受信パワが測定される。この結果、受信パワが最大となる共通パイロットチャネルは、セル＃Ａから受信したものであったとすると、プライマリセルは、セル＃Ａとなる。従って、次ＳＳＤＴ制御単位（図１９では、ＳＳＤＴ制御周期ｉｉｉに相当）では、セル＃Ａからのみ個別物理チャネルが送信されることになる。
【００１５】
しかしながら、フィンガ割り当て判定を行うための遅延プロファイル生成区間は、プライマリセルを決定する区間とは異なるため、遅延プロファイル生成時において、セル＃Ａの相関値が非常に小さく、セル＃Ａのパスがフィンガに割り当てられない場合、プライマリセルの決定区間においてセル＃Ａがプライマリセルとして決定されてしまうと、結果的にセル＃Ａから送信された個別物理チャネルを復号することができない。すなわち、ＳＳＤＴ適用時には、プライマリセル以外のセルからは、個別物理チャネルは送信されないため、受信できない区間が存在することになる。
【００１６】
一方、基地局装置においても、無線回線の瞬断の可能性があり、上り受信を行うことができない場合がある。以下に、その理由を簡単に説明する。
【００１７】
基地局装置は、ＳＨＯ通信中、同一の通信端末装置からの上り受信を複数のセルで行い、各セルで受信した信号をフィンガで逆拡散し、逆拡散後の信号をＲＡＫＥ合成した後、復号する。このとき、各セルで受信したパスのうち、相関値の大きいパスからフィンガに割り当てており、１つのセルで受信した複数のパスが集中的にフィンガに割り当てられる場合がある。このような状態において、通信端末装置が移動に伴い建物の影などに入り、シャドウイング等が起こると、受信において支配的な役割を担っていたセルのパスが急に失われることがある。このため、パス検出の周期、割り当て速度によっては受信できない期間（無線回線の瞬断）が発生する確立が高い。
【００１８】
本発明は係る点に鑑みてなされたものであり、ＳＨＯ通信中に起こり得る無線回線の瞬断を防ぎ、安定した受信性能を実現するＣＤＭＡ受信装置及びフィンガ割り当て方法を提供することを目的とする。
【００１９】
【課題を解決するための手段】
かかる課題を解決するため本発明のフィンガ割り当て方法は、通信端末装置が複数のセルと通信中に、前記複数のセルから送信された信号に基づいて各セル毎の遅延プロファイルを生成し、生成した遅延プロファイルを基に、２以上の異なるセルから必ずパスを選択するようにし、選択したパスをフィンガに割り当てるようにした。
【００２０】
この方法によれば、通信端末装置は、移動に伴い建物の影などに入ることによりシャドウイング等が生じても、２以上の異なるセルから選択したパスをフィンガに割り当てるようにしているので、１つのパスがシャドウイングにより失われても他のパスが残っている可能性が高く、無線回線が瞬断する可能性を低減することができる。
【００２１】
本発明のＲＡＫＥ合成方法によれば、逆拡散後の各フィンガの受信レベルを測定し、同一セルからの複数のパスのうち逆拡散後の受信レベルが最大受信レベルに対して所定値以下となるパスをＲＡＫＥ合成の対象から外すようにした。
【００２２】
この方法によれば、逆拡散後の受信レベルが最大受信レベルに対して所定値以下となるパスをＲＡＫＥ合成の対象から外すことにより、ＲＡＫＥ合成後の受信性能の向上を図ることができる。
【００２３】
本発明のＣＤＭＡ受信装置は、通信中の複数のセルから送信された信号と既知信号との相関演算を行い、各セル毎の遅延プロファイルを生成する遅延プロファイル生成手段と、各遅延プロファイルに基づいてパスを検出するパス検出手段と、前記遅延プロファイル生成手段において生成された遅延プロファイルを基に、２以上の異なるセルから必ずパスを選択するようにし、選択したパスをフィンガに割り当てるフィンガ管理手段と、前記フィンガ管理手段がフィンガに割り当てたタイミングで受信信号を逆拡散する逆拡散手段と、を具備する構成を採る。
【００２４】
この構成によれば、通信端末装置は、移動に伴い建物の影などに入ることによりシャドウイング等が生じても、２以上の異なるセルから送信されたパスを選択し、選択したパスをフィンガに割り当てるようにしているので、１つのパスがシャドウイングにより失われても他のパスが残っている可能性が高く、無線回線が瞬断する可能性を低減することができる。
【００２５】
本発明のＣＤＭＡ受信装置は、前記フィンガ管理手段が、リンク中の各セル毎の遅延プロファイルそれぞれから、相関値の上位いくつまでのパスを選択するかを指定するパス数指定手段と、前記パス検出手段で検出されたパスのなかから相関値の大きいパスから順に前記パス数指定手段から指定されたパス数分それぞれの遅延プロファイルから選択し、選択したパスをフィンガに割り当てるフィンガ第１割り当て手段と、前記フィンガ第１割り当て手段において割り当てられたパス以外で相関値の大きいパスから順に残りのフィンガに割り当てるフィンガ第２割り当て手段と、を具備する構成を採る。
【００２６】
この構成によれば、リンク中の全てのセルから送信されたパスがパス数指定手段で指定されたパス数分、フィンガに割り当てられるので、シャドウイングによる無線回線の瞬断の可能性を低減することができる。また、リンク中の複数のセルのうち、共有制御物理チャネル用の１つのセルがある場合や、ＳＳＤＴ制御適用時に選択されるプライマリセルがある場合でも、リンク中の全てのセルからパスがフィンガに割り当てられるので、共有制御物理チャネルやプライマリセルから送信される個別物理チャネルを復号することができる。
【００２７】
本発明のＣＤＭＡ受信装置は、前記フィンガ管理手段が、リンク中のセルのうち必ずパスを割り当てるセルの数を指定するセル数指定手段と、前記セル数指定手段において指定された各セル毎の遅延プロファイルそれぞれから、相関値の上位いくつまでのパスを選択するかを指定するパス数指定手段と、前記パス検出手段において検出されたパスから、前記セル数指定手段において指定されたセル数と前記パス数指定手段において指定されたパス数とに基づいてパスを選択し、選択したパスをフィンガに割り当てるフィンガ第１割り当て手段と、前記フィンガ第１割り当て手段において割り当てられたパス以外で相関値の大きいパスから順に残りのフィンガに割り当てるフィンガ第２割り当て手段と、を具備する構成を採る。
【００２８】
この構成によれば、リンク中のセルのうち必ずパスを割り当てるセルの数が指定され、さらに、指定されたセルのパスをパス数指定手段で指定されたパス数分、フィンガに割り当てるので、上述したリンク中の全てのセルから送信されたパスを指定されたパス数分、フィンガに割り当てる場合に比べ、同じ受信性能を確保するのに必要なフィンガ数を減らすことができ、回路規模の削減及び消費電力の低減を図ることができる。
【００２９】
本発明のＣＤＭＡ受信装置は、前記フィンガ管理手段が、リンク中のセルのうち優先的にパスを割り当てるセルの数を指定するセル数指定手段と、前記セル数指定手段において指定された各セル毎の遅延プロファイルそれぞれから、相関値の上位いくつまでのパスを選択するかを指定するパス数指定手段と、前記セル数指定手段で指定されたセル数と前記パス数指定手段で指定されたパス数とに基づいて、前記パス検出手段で検出されたパスの相関値をオフセットさせるためのオフセット量を生成するオフセット生成手段と、前記パス検出手段で検出されたパスのうち、前記オフセット量を付加した相関値を含めて相関値の大きいパスから順に選択し、選択したパスをフィンガに割り当てるフィンガ割り当て手段と、を具備する構成を採る。
【００３０】
この構成によれば、オフセット量を付加した相関値を含めて相関値の大きいパスから順に選択され、選択されたパスがフィンガに割り当てられるので、指定されたセルの最大相関値を有するパスが割り当てられる可能性が高くなり、異なるセルのパスがフィンガに割り当てられる可能性が高くなる。
【００３１】
本発明のＣＤＭＡ受信装置は、ＳＳＤＴ制御適用時に前記セル数指定手段において指定されたセル数に基づいて選択されるパスが、個別物理チャネルを送信するプライマリセルからのパスである構成を採る。
【００３２】
この構成によれば、ＳＳＤＴ制御適用時にプライマリセルが必ず又は優先的に割り当てられるセルとして指定されることになるので、プライマリセルからのパスがフィンガに割り当てられていないという事態を完全に、又は、ほとんどの状況で回避し、プライマリセルから送信される個別物理チャネルを復号することができる。
【００３３】
本発明のＣＤＭＡ受信装置は、前記セル数指定手段において指定されたセル数に基づいて選択されるパスが、共有制御物理チャネル用セルからのパスである構成を採る。
【００３４】
この構成によれば、共有制御物理チャネル用のセルが必ず又は優先的に割り当てられるセルとして指定されることになるので、共有制御物理チャネル用セルからのパスがフィンガに割り当てられていないという事態を完全に、又は、ほとんどの状況で回避し、共有制御物理チャネルを復号することができる。
【００３５】
本発明のＣＤＭＡ受信装置は、通信端末装置の受信環境を監視する受信環境監視手段と、セル毎に選択されるパス数を前記受信環境に応じて指定するため前記パス数指定手段を制御する制御手段と、を具備する構成を採る。
【００３６】
この構成によれば、例えば、個別物理チャネルと共有制御物理チャネルを同時に受信しており、共有制御物理チャネル用セルを必ず又は優先的にフィンガに割り当てるセルに指定し、指定したセルの１パスをフィンガに割り当てていたとき、個別物理チャネルの受信性能は十分よいが、共有制御物理チャネルの受信性能がよくない場合、共有制御物理チャネルから選択されるパス数を増やすことにより、共有制御物理チャネルの受信性能を向上させることができる。
【００３７】
本発明のＣＤＭＡ受信装置は、通信端末装置の受信環境を監視する受信環境監視手段と、リンク中のセルのうちパスを割り当てるセル数を前記受信環境に応じて指定するため前記セル数指定手段を制御する制御手段と、を具備する構成を採る。
【００３８】
この構成によれば、例えば、通信端末装置が静止中で、安定した受信を行っていると判断された場合、フェージングの影響は小さいと考えられるので、必ず又は優先的に割り当てるセル数を少なくし、消費電力の低減を図ることができる。一方、通信端末装置が高速移動中であると判断された場合、フェージングの影響は大きいと考えられるので、必ず又は優先的に割り当てるセル数を多くし、多くのセルのパスをフィンガに割り当てることにより、無線回線が瞬断する可能性を少なくすることができる。
【００３９】
本発明のＣＤＭＡ受信装置は、通信端末装置の受信環境を監視する受信環境監視手段と、前記受信環境に応じたオフセット量を生成するため前記オフセット生成手段を制御する制御手段と、を具備する構成を採る。
【００４０】
この構成によれば、例えば、ある１セルの電界強度が他のセルの電界強度に比べ、一定以上強いと判断された場合、電界強度が一番強いセルから受信した信号のみで十分な受信性能を確保できると考えられ、電界強度が一番強いセルからのパスを集中的にフィンガに割り当てるが、シャドウイングなどで途切れた場合を考慮すると他のセルのうち最低１セルのパスはフィンガに割り当てておいた方がよいので、オフセット量を大きくすると共に必ず又は優先的に割り当てるセル数を１より大きくし、他のセルのパスが割り当てられる可能性を高くすることにより、無線回線の瞬断の可能性を少なくすることができる。また、ある１セルの電界強度が他のセルの電界強度に比べ、一定以上強いと判断されない場合、さほど大差ない電界強度のセルが複数存在していることになり、複数のセルのパスがフィンガに割り当てられている可能性が高いと考えられ、オフセット量を小さくし、相関値の大きいパスを割り当てることにより受信性能を向上させることができる。
【００４１】
本発明のＣＤＭＡ受信装置は、フィンガを割り当てる周期に対して短い周期で逆拡散後の各フィンガの受信レベルを測定する受信レベル測定手段と、前記逆拡散後の受信レベルに基づいて、前記受信レベル測定手段の測定周期毎にＲＡＫＥ合成の対象とするパスを選択するＲＡＫＥ合成パス選択手段と、前記ＲＡＫＥ合成パス選択手段の選択結果に応じて逆拡散後の各フィンガ出力に重み付けを行う重み付け係数を決定する重み付け係数決定手段と、前記重み付け係数を逆拡散後の各フィンガ出力に乗算し、乗算結果を合成するＲＡＫＥ合成手段と、を具備する構成を採る。
【００４２】
この構成によれば、上述したフィンガ割り当てを行った場合に、ノイズ成分の多いパスもフィンガに割り当てていることがあり、ノイズ成分の多い逆拡散結果をＲＡＫＥ合成することにより受信性能を低下させていたが、逆拡散後の受信レベルに基づいてＲＡＫＥ合成の対象とするパスを選択することにより、ＲＡＫＥ合成後の受信性能の低下を回避することができる。また、フィンガ割り当て周期対して短い周期で逆拡散後の受信レベル測定及びＲＡＫＥ合成パス選択を行うことにより、短期的なパスの揺らぎによるノイズ成分の多い逆拡散結果をＲＡＫＥ合成することを回避することができる。
【００４３】
本発明のＣＤＭＡ受信装置は、通信端末装置の受信環境を監視する受信環境監視手段を具備し、前記ＲＡＫＥ合成パス選択手段は、前記受信環境に応じてＲＡＫＥ合成の対象とするパスの選択を行うか否かを切り替える構成を採る。
【００４４】
この構成によれば、受信環境に応じてＲＡＫＥ合成パス選択を行うか否かを選択することにより、例えば、ＳＳＤＴ制御を適用している場合には、プライマリセルからのみ個別物理チャネルが送信されているので、プライマリセルのパスをＲＡＫＥ合成するため、ＲＡＫＥ合成パス選択を行わず、ＳＳＤＴ制御を適用しない場合には、ＲＡＫＥ合成パス選択を行うことにより、受信性能の向上を図っている。
【００４５】
本発明のＣＤＭＡ受信装置は、前記受信レベル測定手段は、通信端末装置の受信環境に応じて受信レベルの測定周期を変更し、前記ＲＡＫＥ合成パス選択手段は、前記受信レベル測定手段の測定周期に従ってＲＡＫＥ合成の対象とするパスを選択する構成を採る。
【００４６】
この構成によれば、例えば、通信端末装置が静止中であると判断された場合、安定した受信状態であり、パス毎の受信レベルの変動は小さいと考えられ、測定周期を長くしても受信レベルの変動に追従することができるので、測定頻度を低くすることになり、処理量が減少し、消費電力の低減を図ることができる。
【００４７】
本発明の基地局装置は、通信中の通信端末装置から送信された信号と既知信号との相関演算を行い、受信した各セル毎で遅延プロファイルを生成する遅延プロファイル生成手段と、各遅延プロファイルに基づいてパスを検出するパス検出手段と、前記遅延プロファイル生成手段において生成された遅延プロファイルを基に、２以上の異なるセルから必ずパスを選択するようにし、選択したパスをフィンガに割り当てるフィンガ管理手段と、前記フィンガ管理手段がフィンガに割り当てたタイミングで受信信号を逆拡散する逆拡散手段と、を具備する構成を採る。
【００４８】
この構成によれば、基地局装置は、通信端末装置が移動に伴い建物の影などに入ることによりシャドウイング等が生じても、２以上の異なるセルで受信したパスをフィンガに割り当てるようにしているので、１つのパスがシャドウイングにより失われても他のパスが残っている可能性が高く、上り受信において無線回線が瞬断する可能性を低減することができる。
【００４９】
【発明の実施の形態】
本発明の骨子は、ＳＨＯ通信中に、リンクしているセルのうち異なる２つ以上のセルからのパスを必ずフィンガに割り当てるようにすることである。これにより、通信端末装置が建物の影などに入るシャドウイング等の影響で、急にパスが失われた場合でも、無線回線が瞬断する可能性を低減することができる。
【００５０】
以下、本発明の実施の形態について、図面を参照して詳細に説明する。
【００５１】
（実施の形態１）
本実施の形態では、ＳＨＯ通信中にリンクしているセルの遅延プロファイル毎に、相関値の大きいパス上位Ｎ個をフィンガに割り当て、割り当てたパス以外でフィンガ閾値を越えるパスの中で、相関値の大きいパスから優先的に残りのフィンガに割り当て、フィンガに割り当てられたパスであっても、同一セルからのパスが複数あり、受信レベルが低いパスはＲＡＫＥ合成の対象から外す場合について説明する。
【００５２】
図１は、本発明の実施の形態１に係るＣＤＭＡ受信装置の構成を示すブロック図である。この図において、受信信号は、アンテナで受信した信号にゲイン調整、Ａ／Ｄ変換等の所定の無線受信処理が施された信号である。制御部１０１は、遅延プロファイルを生成するセル数、セル毎の拡散コード及び位相情報を遅延プロファイル生成部１０２に通知する。また、制御部１０１は、フィンガ管理部１０４に制御情報を通知すると共に、スロットフォーマット情報などのＲＡＫＥ合成に必要な制御情報をＲＡＫＥ合成部１０６に通知する。
遅延プロファイル生成部１０２は、受信信号と制御部１０１から通知された拡散コードとで相関をとり、通知されたセル数分の遅延プロファイルを生成し、生成した遅延プロファイルをパス検出部１０３及びフィンガ管理部１０４に出力する。
【００５３】
パス検出部１０３は、遅延プロファイル生成部１０２から出力された各遅延プロファイルから、所定の閾値（以下、「フィンガ閾値」という）を越えるピークがたつ位相点をパスとして決定し、ピークの相関値を測定する。パスの位相点及び測定した相関値をフィンガ管理部１０４に出力する。
【００５４】
フィンガ管理部１０４は、制御部１０１から出力された制御情報と遅延プロファイル生成部１０２から出力された遅延プロファイルとパス検出部１０３から出力された結果とに基づいて、パス位相のトラッキング、次の遅延プロファイル生成に備え遅延プロファイル窓のトラッキング、セル位相管理などを行う。遅延プロファイル窓のトラッキング結果は制御部１０１に出力される。また、リンクしているセル毎に相関値の大きなパス上位Ｎ個（Ｎはフィンガ数を越えない任意の正数）を、フィンガ閾値を越えるか否かにかかわらずフィンガに割り当てる。さらに、割り当てた上位Ｎ個のパス以外でフィンガ閾値を越えたパスを、相関値の大きいものから優先的に残りのフィンガに割り当てる。フィンガ割り当て結果は、逆拡散部１０５及びＲＡＫＥ合成部１０６にそれぞれ出力する。フィンガ管理部１０４の詳細な構成については後述する。
【００５５】
逆拡散部１０５は、フィンガ管理部１０４から出力されたフィンガ割り当て結果、すなわち、逆拡散タイミングに従って受信信号を逆拡散し、逆拡散結果をＲＡＫＥ合成部１０６に出力する。
【００５６】
ＲＡＫＥ合成部１０６は、制御部１０１から通知された制御情報と、フィンガ管理部１０４から出力されたフィンガ割り当て結果とに基づいて、逆拡散部１０５から出力された逆拡散結果をＲＡＫＥ合成する。合成結果は、図示しない復号部に出力される。ＲＡＫＥ合成部１０６の内部構成については後述する。
【００５７】
図２は、本発明の実施の形態１に係るフィンガ管理部１０４の内部構成を示すブロック図である。この図において、パス数指定部２０１は、リンクしている各セルにおいて優先的に割り当てるパスの数Ｎ（以下、「割り当て指定パス数」ということもある）が予め決定されており、パス数Ｎをフィンガ第１割り当て部２０２に指定する。
【００５８】
フィンガ第１割り当て部２０２は、パス検出部１０３から出力されたパス検出結果とパス数指定部２０１から指定されたパス数Ｎとに基づいて、リンクしている各セルにおいて相関値の大きいパスから順にＮ個のパスをフィンガに割り当てる。割り当て結果は、逆拡散部１０５、ＲＡＫＥ合成部１０６、フィンガ第２割り当て部２０３に出力される。
【００５９】
フィンガ第２割り当て部２０３は、パス検出部１０３から出力されたパス検出結果のうち、フィンガ第１割り当て部２０２で割り当てたパス以外でフィンガ閾値を越えたパスを、相関値の大きいものから優先的に残りのフィンガに割り当てる。割り当て結果は、逆拡散部１０５及びＲＡＫＥ合成部１０６に出力される。
【００６０】
次に、実施の形態１におけるフィンガ割り当て方法について図面を用いて詳細に説明する。図３は、本発明の実施の形態１におけるＳＨＯ通信中のフィンガ割り当ての様子を説明するための図である。この図では、ある通信端末装置がセル＃Ａからセル＃Ｃまでの３セルとＳＨＯを行っている場合とし、単位シンボル当たりの相関値でセル毎に生成した遅延プロファイルを示している。また、個別物理チャネルはセル＃Ａ、セル＃Ｂ、セル＃Ｃでリンクし、共有制御物理チャネルはセル＃Ｃで同時にリンクする。さらに、パス選択の際、リンクしているセル毎に相関値の大きなパスの上位Ｎ個を選択するが、割り当て指定パス数Ｎを１として、各セルにおいて相関値の最も大きいパスをそれぞれ選択する。そして、使用可能なフィンガ数を５とする。
【００６１】
フィンガ第１割り当て部２０２は、セル毎の各遅延プロファイルにおいて、相関値の最も大きなパスをフィンガに割り当てる。具体的には、セル＃Ａからはパス＃Ａ＃１（相関値１位、セル内１位）が、セル＃Ｂからはパス＃Ｂ＃１（相関値７位、セル内１位）が、セル＃Ｃからはパス＃Ｃ＃１（相関値６位、セル内１位）がそれぞれフィンガに割り当てられる。使用可能なフィンガ数は５なので、残り２個のフィンガが使用できる。そして、フィンガ第２割り当て部２０３は、フィンガ第１割り当て部２０２で割り当てられたパス以外でフィンガ閾値を越えたパスを、相関値の大きいものから優先的に残りのフィンガに割り当てるので、図３より、パス＃Ａ＃２（相関値２位、セル内２位）及びパス＃Ａ＃３（相関値３位、セル内３位）が残りのフィンガに割り当てられることになる。
【００６２】
従来のフィンガ割り当て方法に従って図３で示した遅延プロファイルからフィンガ割り当てを行うと、全ての遅延プロファイルの中で相関値の大きいパスから順に割り当てられるので、相関値の上位から順に選択すると、５つのフィンガは全てセル＃Ａからのパスが割り当てられることになり、セル＃Ｂ及びセル＃Ｃからは１パスも割り当てられないことになる。
【００６３】
このように、リンク中の各セルから最低Ｎ個のパスをフィンガに割り当てることにより、セル＃Ａのパスのみをフィンガに割り当てることがなくなり、通信端末装置が移動に伴って建物の影などに入るシャドウイング等の影響で、フィンガに割り当てたセル＃Ａのパスが急に失われても（同期はずれ）、セル＃Ｂ又はセル＃Ｃのパスがフィンガに割り当てられているので、このパスを用いて復号することができる可能性が高い。これにより、シャドウイング等による無線回線の瞬断の可能性を少なくし、安定した通信を実現することができる。
【００６４】
また、共有制御物理チャネルの復号については、共有制御物理チャネルはセル＃Ｃのみでリンクしており、従来のフィンガ割り当て方法では、セル＃Ｃのパスがフィンガに割り当てられないが、本実施の形態のフィンガ割り当て方法では、セル＃Ｃのパスは必ず最低Ｎ個割り当てられる（図３の例では、パス＃Ｃ＃１が割り当てられている）ので、割り当てられたタイミングで受信信号を逆拡散し、共有制御物理チャネルを復号することができる。
【００６５】
次に、本実施の形態におけるＣＤＭＡ受信装置がＳＳＤＴ制御を適用した場合について、説明する。上述したように、従来のフィンガ割り当て方法では、同時に得られた全ての遅延プロファイルにおいて、相関値の大きいパスから優先的にフィンガに割り当てられる。そして、遅延プロファイル生成区間は平均化に比較的長期間要し、ＳＳＤＴ制御区間はそれに比べ短期間の平均化を行うので、あるセルの受信状態が悪い状態から急激によくなった場合を想定すると、そのセルは、プライマリセルに選択されるが、そのセルのパスは割り当てられていたフィンガから外れてしまうことがある。この場合、プライマリセルから送信される個別物理チャネルを復号することができない。これに対し、本実施の形態のフィンガ割り当て方法では、リンク中の各セルからそれぞれ最低Ｎ個のパスをフィンガに割り当てるので、いずれのセルがプライマリセルとして選択されても、必ず対象セルのパスはフィンガに割り当てられている。これにより、割り当てられたタイミングで受信信号を逆拡散し、プライマリセルから送信される個別物理チャネルを復号することができ、安定した通信を行うことができる。
【００６６】
しかしながら、上述したフィンガ割り当て方法では、ややノイズ成分の多いパスもフィンガに割り当てられることがあり、ノイズ成分の多い逆拡散結果をＲＡＫＥ合成して受信性能を下げてしまう場合もある。そこで、ＲＡＫＥ合成部１０６を図４に示す構成とすることにより、受信性能の低下を回避するようにした。以下、図４に示すＲＡＫＥ合成部１０６によるＲＡＫＥ合成方法について説明する。
【００６７】
図４は、本発明の実施の形態１に係るＲＡＫＥ合成部の内部構成を示すブロック図である。この図において、受信レベル第１測定部４０１は、逆拡散部１０５から出力された重み付け情報（フィンガ毎の受信レベル）とフィンガ管理部１０４から出力されたフィンガ割り当て結果とに基づいて、セル毎にＲＡＫＥ合成した結果から受信レベルを任意区間（ＳＳＤＴ制御単位）で平均し、平均結果をそのセルの受信レベルとし、プライマリセル選択部４０３に出力する。
【００６８】
受信レベル第２測定部４０２は、逆拡散部１０５から出力された重み付け情報（フィンガ毎の受信レベル）とフィンガ管理部１０４から出力されたフィンガ割り当て結果とに基づいて、フィンガ毎の受信レベルを任意区間（ＲＡＫＥ合成対象フィンガ選択周期）で平均し、平均結果をそのフィンガの平均受信レベルとし、ＲＡＫＥ合成パス選択部４０４及び重み付け係数決定部４０５に出力する。なお、ＲＡＫＥ合成対象フィンガ選択周期は、受信レベル第２測定部４０２がフィンガ毎の平均受信レベルを測定する期間である。
【００６９】
プライマリセル選択部４０３は、受信レベル第１測定部４０１から出力された測定結果に基づいて、受信レベルの最も大きいセルをプライマリセルとして選択する。選択結果は、次のＳＳＤＴ制御単位で用いるものとして、符号化部及びＲＡＫＥ合成パス選択部４０４に出力される。
【００７０】
ＲＡＫＥ合成パス選択部４０４は、受信レベル第２測定部４０２から出力された測定結果に基づいて、最大受信レベルから一定レベル以内のフィンガを選択し、ＲＡＫＥ合成の対象パス（ＲＡＫＥ合成パス）とする。ただし、ＳＳＤＴ制御を行っている場合は、プライマリセル選択部４０３で選択されたプライマリセルのパスが割り当てられているフィンガ以外は、ＲＡＫＥ合成パスとして選択せず、プライマリセルのパスが割り当てられたフィンガであっても、フィンガ毎の受信レベルに基づいてＲＡＫＥ合成パスの選択を行う。ＳＳＤＴ制御を行っていない場合は、プライマリセル選択部４０３の選択結果の如何に関わらず、フィンガ毎の受信レベルからＲＡＫＥ合成パスの選択を行う。選択されたＲＡＫＥ合成パスは、重み付け係数決定部４０５に出力される。
【００７１】
重み付け係数決定部４０５は、逆拡散部１０５から出力された重み付け情報、受信レベル第２測定部４０２から出力された測定結果、ＲＡＫＥ合成パス選択部４０４から出力されたＲＡＫＥ合成パスに基づいて、逆拡散部１０５の各フィンガ出力に重み付けを行うための重み付け係数を決定する。このとき、フィンガにパスが割り当てられていない場合は、重み付け係数を０とする。決定された重み付け係数は、重み付け処理部４０７に出力される。
【００７２】
シンボル位相調整部４０６は、フィンガ毎にパスが割り当てられる位相が異なるため、逆拡散部の各フィンガから出力されるタイミングが異なり、異なるタイミングで出力された各フィンガ出力をフィンガ管理部１０４から出力されたフィンガ割り当て結果に基づいてシンボル位相を合わせて重み付け処理部４０７に出力する。
【００７３】
ＲＡＫＥ合成手段としての重み付け処理部４０７は、シンボル位相調整部４０６から出力されたフィンガ出力に重み付け係数決定部４０５からのフィンガ毎の重み付け係数を乗算（重み付け）し、重み付け後のフィンガ出力を合成部４０８に出力する。
【００７４】
ＲＡＫＥ合成手段としての合成部４０８は、重み付け処理部４０７から出力された重み付け後の各フィンガ出力を加算（合成）し、合成結果を図示しない復号部に出力する。
【００７５】
次に、上記構成を有するＲＡＫＥ合成部１０６の動作について図５を用いて説明する。図５は、ＳＳＤＴ制御を行っていないときのＲＡＫＥ合成部の合成タイミング図である。この図において、フィンガ割り当て周期を１フレーム、ＲＡＫＥ合成対象フィンガ選択周期を１スロットとし、割り当てパス情報はフィンガに割り当てられたパスとＲＡＫＥ合成対象（図中網掛け部分）か否かを示すものとする。ここで、ＲＡＫＥ合成対象フィンガ選択周期をフィンガ割り当て周期より短くすることにより、短期的なパスの揺らぎによりノイズ比率が大きくなった逆拡散結果をＲＡＫＥ合成の対象から外すことができる。
【００７６】
図５の区間Ｗ１において、受信レベル第２測定部４０２がフィンガ毎の平均受信レベルを測定し、測定結果をＲＡＫＥ合成パス選択部４０４に出力する。
【００７７】
ＲＡＫＥ合成パス選択部４０４は、受信レベル第２測定部４０２から出力された測定結果に基づいて、ＲＡＫＥ合成パスの選択を行う。図５の区間Ｗ２において、ＲＡＫＥ合成パス選択を反映するＲＡＫＥ合成を行う。この区間Ｗ２でＲＡＫＥ合成されるパスは、パス＃Ｂ＃１とパス＃Ｄ＃１である。このとき、受信レベル第２測定部４０２で行われるフィンガ毎の平均受信レベルの測定は、位相推定及び同期検波処理を行っておらず、遅延が少ない重み付け情報をもとに演算を行っているのに対し、逆拡散部１０５からの各フィンガ出力は、前後１スロットの位相推定、同期検波などの処理遅延のため、結果的に重み付け処理部４０７及び合成部４０８はＲＡＫＥ合成パス選択判定に用いた受信レベルの平均区間と同じスロットのフィンガ出力を処理していることになる。
【００７８】
ＲＡＫＥ合成パス選択部４０４で選択されなかったフィンガ＃０、＃２、＃４、＃５からの出力は、重み付け係数０を乗算することで、ＲＡＫＥ合成対象から外している。これは、パス＃Ｂ＃１とパス＃Ｄ＃１の受信レベルに対して、他のパスの受信レベルがＷ１の区間で十分小さく、全てのフィンガ出力をＲＡＫＥ合成すると逆に受信性能が悪くなってしまい、これを避けるためである。
【００７９】
図６は、ＳＳＤＴ制御を行っているときのＲＡＫＥ合成部１０６の合成タイミング図である。この図において、フィンガ割り当て周期、ＲＡＫＥ合成対象フィンガ選択周期、割り当てパス情報は、図５と同様であり、ＳＳＤＴ制御単位を３スロットとしている。
【００８０】
図６において区間Ｗ１で受信レベル第２測定部４０２がフィンガ毎の受信レベルを測定し、この測定結果に基づいて、プライマリセル選択部４０３がプライマリセルの選択を行う。区間Ｗ１では、セル＃Ａからセル＃Ｄの４セルの受信レベルが求められ、プライマリセルとしてセル＃Ｂが選択されたとする。本実施の形態では、フィンガ管理部１０４において、リンク中の各セルからのパスがセル毎に最低Ｎ個が割り当てられることになっており、図６の場合、セル＃Ｂのパス（パス＃Ｂ＃１〜パス＃Ｂ＃３）が３つのフィンガに割り当てられている。
【００８１】
図６において区間Ｗ２は、区間Ｗ１で選択されたプライマリセルとのみ個別物理チャネルをリンクするＳＳＤＴ制御区間であり、プライマリセル選択部４０３は、ＲＡＫＥ合成パス選択部４０４に対してセル＃Ｂ以外のセルからのパスをＲＡＫＥ合成しない制御を行う。これは、プライマリセル以外のセルは、ＳＳＤＴ制御により個別物理チャネルの送信を停止しているためである。
【００８２】
図６において区間Ｗ３で、ＲＡＫＥ合成パス選択部４０４は、フィンガ＃１にのみ割り当てられたパス＃Ｂ＃１を選択する。これは、区間Ｗ３については、パス＃Ｂ＃１の受信レベルに対して、パス＃Ｂ＃２及びパス＃Ｂ＃３の受信レベルが十分小さいため、これらのパスをＲＡＫＥ合成すると逆に受信性能が悪くなってしまい、これを避けるためである。
【００８３】
同様に、区間Ｗ３の次のスロット１及びスロット２では、フィンガ毎の受信レベル測定、プライマリセルの選択が行われ、パス＃Ｂ＃１とパス＃Ｂ＃２とをＲＡＫＥ合成することとなり、パス＃Ｂ＃３は、パス＃Ｂ＃１とパス＃Ｂ＃２の受信レベルに比べ十分小さいため、ＲＡＫＥ合成対象から外している。
【００８４】
このように、フィンガに割り当てられているパスであっても、同一セルからの複数のパスがフィンガに割り当てられており、逆拡散後の受信レベルが低いパスはＲＡＫＥ合成の対象から外すことにより、ＲＡＫＥ合成後の受信性能の低下を回避することができる。
【００８５】
なお、図５及び図６の例では、共有制御物理チャネルについては、上述したＲＡＫＥ合成方法は適用しておらず、別途、通常のＲＡＫＥ合成を行っている。
【００８６】
このように本発明の実施の形態によれば、ＳＨＯ通信中にリンクしているセルのパスをＮ個はフィンガに割り当てるので、シャドウイング等の影響であるセルのパスが急に失われても、他のセルのパスが残る可能性が高いので、通信端末装置は、無線通信の瞬断の可能性を少なくし、安定した通信を行うことができる。また、リンク中の複数のセルのうち、１つのセルのみから送信される共有制御物理チャネルのようなチャネルがある場合や、ＳＳＤＴ制御適用時にプライマリセルから個別物理チャネルを送信する場合でも、リンク中のセルのパスをフィンガに割り当てるので、割り当てたタイミングで逆拡散し、共有制御物理チャネルや個別物理チャネルを復号することができる。さらに、受信レベルの低いパスをＲＡＫＥ合成対象から外すことで、本実施の形態のフィンガ割り当て方法を用いることによって生じる受信性能の低下を回避することができる。
【００８７】
（実施の形態２）
本実施の形態では、ＳＨＯ通信中にリンクしているセルの中からＭ個を指定し、Ｍ個のセルの遅延プロファイル毎に、フィンガ閾値を越えるか否かにかかわらず、相関値の大きいパスの上位Ｎ個をフィンガに割り当て、割り当てたパス以外でフィンガ閾値を越えるパスの中で、大きい相関値のパスから優先的に残りのフィンガに割り当てる場合について説明する。
【００８８】
本発明の実施の形態２に係るＣＤＭＡ受信装置は、実施の形態１のフィンガ管理部１０４をフィンガ管理部７００に変更したものである。図７は、本発明の実施の形態２に係るフィンガ管理部７００の内部構成を示すブロック図である。ただし、図７において、図２と共通する部分には図２と同一の符号を付し、その詳しい説明は省略する。この図において、図２と異なる点は、フィンガ管理部内にセル数指定部７０１を設けた点と、フィンガ第１割り当て部２０２をフィンガ第１割り当て部７０２に変更した点とである。
【００８９】
セル数指定部７０１は、必ずパスを割り当てるべきセル数Ｍ（以下、「必須割り当てセル数」という。Ｍはリンク数以下の任意の正数）が予め決められており、セル数Ｍをフィンガ第１割り当て部に指定する。
【００９０】
フィンガ第１割り当て部７０２は、パス検出部１０３から出力されたパス検出結果に基づいて、セル数指定部７０１から指定されたＭ個のセルそれぞれにおいて相関値の大きいパスから順に、パス数指定部２０１から指定されたＮ個のパスをフィンガに割り当てる。
【００９１】
次に、フィンガ割り当て方法について図面を用いて詳細に説明する。図８は、本発明の実施の形態２におけるＳＨＯ通信中のフィンガ割り当て方法を説明するための図である。この図では、ある通信端末装置がセル＃Ａからセル＃Ｃまでの３セルとＳＨＯを行っている場合とし、単位シンボル当たりの相関値でセル毎に生成した遅延プロファイルを示している。また、個別物理チャネルはセル＃Ａ、セル＃Ｂ、セル＃Ｃでリンクし、共有制御物理チャネルはセル＃Ｃで同時にリンクする。さらに、必須割り当てセル数Ｍは２とし、割り当て指定パス数Ｎを１とする。そして、使用可能なフィンガ数を５とする。
【００９２】
フィンガ第１割り当て部７０２は、必須割り当てセル数Ｍが２であり、共有制御物理チャネルがセル＃Ｃから送信されるため、セル＃Ｃを必須割り当てセルの一つとし、残りの一つは、受信レベルの高いセルとする。図８の例では、セル＃Ａの方がセル＃Ｂより受信レベルが高いので、セル＃Ａを必須割り当てセルの一つとする。セル＃Ａ及びセル＃Ｃから得られる相関値のうち上位１個のパスをフィンガに割り当てる。すなわち、パス＃Ａ＃１（相関値１位、セル内１位）及びパス＃Ｃ＃１（相関値６位、セル内１位）である。
【００９３】
使用可能なフィンガ数は５なので、残り３個のフィンガが使用できる。フィンガ第２割り当て部２０３は、割り当てたパス以外でフィンガ閾値を越えたパスを、相関値の大きい順に優先的に残りのフィンガに割り当てるので、図８よりパス＃Ａ＃２（相関値２位、セル内２位）、パス＃Ａ＃３（相関値３位、セル内３位）、パス＃Ａ＃４（相関値４位、セル内４位）がフィンガに割り当てられることになる。これにより、残りのフィンガを有効に利用し、復号精度をできるだけ高めるようにしている。この結果、フィンガに割り当てられるパス数は、セル＃Ａでは４パス、セル＃Ｂでは０パス、セル＃Ｃでは１パスとなる。
【００９４】
従来のフィンガ割り当て方法に従って、図８で示した遅延プロファイルからフィンガ割り当てを行うと、セル＃Ａにフィンガ割り当てパスが集中してしまうので、セル＃Ｂ及びセル＃Ｃからは１パスも割り当てられないことになる。
【００９５】
このように、リンク中の複数のセルから必須割り当てセルを決め、セル＃Ａのパスのみをフィンガに割り当てることがなくなり、通信端末装置が移動に伴って建物の影などに入るシャドウイング等の影響で、フィンガに割り当てたセル＃Ａのパスが急に失われても（同期はずれ）、セル＃Ｂ又はセル＃Ｃのパスがフィンガに割り当てられているので、このパスを用いて復号することができる。これにより、シャドウイング等による無線回線の瞬断の可能性を少なくし、安定した通信を実現することができる。なお、必須割り当てセルを異なるセクタから割り当てるようにすると、シャドウイングの影響で無線回線が瞬断する可能性をより低減することができる。異なるセクタからのパスは、パスの到来方向が離れている可能性が高く、一方のセクタからのパスがシャドウイングにより失われても、他のセクタからのパスが残っている可能性が高いからである。
【００９６】
また、共有制御物理チャネルの復号については、共有制御物理チャネルはセル＃Ｃのみでリンクしており、従来のフィンガ割り当て方法では、セル＃Ｃのパスがフィンガに割り当てられないが、本実施の形態のフィンガ割り当て方法では、セル＃Ｃは必須割り当てセルとして指定することができ、セル＃Ｃのパスは必ず最低Ｎ個割り当てられる（図２の例では、パス＃Ｃ＃１が割り当てられている）ので、割り当てられたタイミングで受信信号を逆拡散し、共有制御物理チャネルを復号することができる。
【００９７】
さらに、ＳＳＤＴ制御適用時のプライマリセルから送信される個別物理チャネルの復号について説明する。図８の例では、共有制御物理チャネル用のセル＃Ｃを必須割り当てセルの一つとし、もう一つの必須割り当てセルをセル＃Ａとしている。本実施の形態では、フィンガ割り当て周期とＳＳＤＴ制御周期のバウンダリでは、プライマリセルを必須割り当てセルとして決定されてからプライマリセルのパスが割り当てられる。また、フィンガ割り当て周期内では、割り当てられているセルをプライマリセルとして決定するので、プライマリセルのパスは必ずフィンガに割り当てられている。これにより、プライマリセルから送信された信号を割り当てられたタイミングで逆拡散し、個別物理チャネルを復号することができる。
【００９８】
ここで、本実施の形態のフィンガ割り当て方法を用いた場合、実施の形態１のフィンガ割り当て方法に比べ、回路規模及び消費電力を削減することができることを説明する。例えば、３ＧＰＰを例に挙げると、通信端末装置が同時にリンク可能な最大セル数は６であり、実施の形態１では、Ｎ＝２とすると、１２本のフィンガが必要になる。一方、本実施の形態では、３ＧＰＰで規定される必須割り当てセル数は、ＳＳＤＴ制御用のセルと共有制御物理チャネルに相当するＤＳＣＨ（Ｄｏｗｎｌｉｎｋ　Ｓｈａｒｄ　ＣＨａｎｎｅｌ）用のセルであり、Ｍ＝２、Ｎ＝２とすると、４本のフィンガが必要になる。さらに、１セルからの電界強度が突出している場合、そのセルからは相関値の大きい上位４パス程度をフィンガに割り当てないと受信性能が劣化することがあるので、実施の形態１では２本のフィンガを余分に設けることを考え、１４本を必要とし、本実施の形態では、上記４本のフィンガとは別にさらに４本を加え、８本のフィンガが必要であると考えられる。これだけの本数を設けることにより、両者の受信性能に差はなくなると予想されるが、明らかに本実施の形態のフィンガ割り当て方法では、実施の形態１のフィンガ割り当て方法に比べ、予め用意するフィンガの本数が少なくて済み、回路規模の削減及び消費電力の低減につながる。具体的な削減効果は、仮に、必須割り当てセル数Ｍを２とし、異なるセクタからそれぞれ１セルずつ必須割り当てセルとすれば、シャドウイングに対して十分効果があるとすると、フィンガ数を最大で（２／同時にリンク可能な最大セル数）にすることができる。上記の３ＧＰＰの場合、同時にリンク可能な最大セル数は６なので、最大で１／３の削減効果がある。
【００９９】
なお、本実施の形態では、必須割り当てセルを異なるセクタから割り当てるようにすると、シャドウイングの影響で無線回線が瞬断する可能性をより低減することができる。異なるセクタからのパスは、パスの到来方向が離れている可能性が高く、一方のセクタからのパスがシャドウイングにより失われても、他のセクタからのパスが残っている可能性が高いからである。
【０１００】
また、本発明の実施の形態においても、実施の形態１のＲＡＫＥ合成方法を適用し、受信性能の向上を図るものとする。
【０１０１】
このように本発明の実施の形態によれば、ＳＨＯ通信中にリンクしているセルのうちＭ個のセルについては、Ｎ個のパスを必ずフィンガに割り当てるので、シャドウイング等の影響により、あるセルのパスが急に失われても、他のセルのパスが残る可能性が高いので、通信端末装置は、無線回線の瞬断の可能性を少なくし、安定した通信を行うことができる。また、リンク中の複数のセルのうち、１つのセルのみから送信される共有制御物理チャネルのようなチャネルがある場合や、ＳＳＤＴ制御適用時にプライマリセルから個別物理チャネルを送信する場合でも、共有制御物理チャネル用のセルやプライマリセルを必須割り当てセルとすることにより、これらのセルからのパスを必ず割り当てることになるので、共有制御物理チャネルや個別物理チャネルを復号することができる。さらに、実施の形態１に比べ、同じ受信性能を確保するのに必要なフィンガの本数を減らすことができ、回路規模の削減、消費電力の低減を図ることができる。
【０１０２】
（実施の形態３）
本実施の形態では、ＳＨＯ通信中にリンクしているセルの中からＭ個を指定し、Ｍ個のセルの各遅延プロファイルにおいて、相関値の大きいパスの上位Ｎ個に仮想の相関値を設定（オフセット量の付加）し、オフセット後の相関値を含めてフィンガ閾値を越える相関値の大きいパスから優先的にフィンガに割り当てる場合について説明する。
【０１０３】
本発明の実施の形態３に係るＣＤＭＡ受信装置は、実施の形態２のフィンガ管理部７００をフィンガ管理部９００に変更したものである。図９は、本発明の実施の形態３に係るフィンガ管理部９００の内部構成を示すブロック図である。ただし、図９において、図７と共通する部分には図７と同一の符号を付し、その詳しい説明は省略する。この図において、図７と異なる点は、オフセット生成部９０２を追加した点と、セル数指定部７０１をセル数指定部９０１に変更した点と、フィンガ第１割り当て部７０２とフィンガ第２割り当て部２０３を１つのフィンガ割り当て部９０３に変更した点とである。
【０１０４】
セル数指定部９０１は、優先的にパスを割り当てるべきセル数Ｍ（以下、「優先割り当てセル数」という。Ｍは、リンク数以下の任意の正数）が予め決められており、セル数Ｍをオフセット生成部９０２及びフィンガ割り当て部９０３に指定する。
【０１０５】
パス数指定部２０１は、リンクしている各セルにおいて優先的に割り当てるパスの数Ｎが予め決定されており、パス数Ｎをオフセット生成部９０２に指定する。
【０１０６】
オフセット生成部９０２は、セル数指定部９０１から指定されたセル数Ｍ及びパス数指定部２０１から指定されたパス数Ｎに該当する各セルのパスの相関値をオフセットさせるためオフセット量（仮想の相関値）を生成し、生成したオフセット量をフィンガ割り当て部９０３に出力する。
【０１０７】
フィンガ割り当て部９０３は、オフセット生成部９０２で生成されたオフセットを該当するパスに付加し、リンク中の複数セルの遅延プロファイルにおいて、相関値の大きいパスから優先的にフィンガに割り当てる。
【０１０８】
次に、実施の形態３におけるフィンガ割り当て方法について図面を用いて詳細に説明する。図１０は、本発明の実施の形態３におけるＳＨＯ通信中のフィンガ割り当て方法を説明するための図である。この図では、ある通信端末装置がセル＃Ａからセル＃Ｃまでの３セルとＳＨＯを行っている場合とし、単位シンボル当たりの相関値でセル毎に生成した遅延プロファイルを示している。また、個別物理チャネルはセル＃Ａ、セル＃Ｂ、セル＃Ｃでリンクし、共有制御物理チャネルはセル＃Ｃで同時にリンクする。さらに、優先割り当てセル数Ｍは２とし、割り当て指定パス数Ｎを１とする。そして、使用可能なフィンガ数を５とする。
【０１０９】
フィンガ管理部９００は、優先割り当てセル数Ｍが２であり、共有制御物理チャネルがセル＃Ｃから送信されるため、セル＃Ｃを優先割り当てセルの一つとし、残りの一つは、受信レベルの高いセルとする。図１０の例では、セル＃Ａの方がセル＃Ｂより受信レベルが高いので、セル＃Ａを優先割り当てセルの一つとする。また、割り当て指定パス数Ｎが１であることより、オフセット生成部９０２は、優先割り当てセル（セル＃Ａ及びセル＃Ｃ）の遅延プロファイルにおいて最大の相関値となるパスに付加するオフセット量を生成する。
【０１１０】
フィンガ割り当て部９０３は、オフセット生成部９０２において生成されたオフセット量を該当するパスに付加し、オフセット後の相関値に基づいて、相関値の大きいパスから順に優先的にフィンガに割り当てる。この結果、フィンガに割り当てられるパス数は、セル＃Ａではパス＃Ａ＃１（相関値１位、オフセット後１位）、パス＃Ａ＃２（相関値２位、オフセット後２位）、パス＃Ａ＃３（相関値３位、オフセット後３位）の３パス、セル＃Ｂではパス＃Ｂ＃１（相関値４位、オフセット後５位）の１パス、セル＃Ｃではパス＃Ｃ＃１（相関値７位、オフセット後４位）の１パスとなる。
【０１１１】
従来のフィンガ割り当て方法に従って、図１０で示した遅延プロファイルからフィンガ割り当てを行うと、セル＃Ａにフィンガ割り当てパスが集中しており、セル＃Ａから４パス、セル＃Ｂから１パスが割り当てられることになる。
【０１１２】
このように、リンク中の複数のセルから優先割り当てセルを決め、優先割り当てセルのＮ個のパスについては、オフセット量を付加することによってフィンガに割り当てられやすくし、セル＃Ａのパスのみをフィンガに割り当てにくいようにするので、通信端末装置が移動に伴って建物の影などに入るシャドウイング等の影響で、フィンガに割り当てたセル＃Ａのパスが急に失われても（同期はずれ）、セル＃Ｂ又はセル＃Ｃのパスがフィンガに割り当てられているので、そのパスを用いて復号することができる可能性が高くなる。これにより、シャドウイング等による無線回線の瞬断の可能性を少なくし、安定した通信を実現することができる。また、オフセット量を付加しても選択されないようなパスについては、受信性能向上に寄与しないと考えられるので、他のセルのパスを割り当てるようにすることで、有限な逆拡散手段を効率よく活用することができる。
【０１１３】
また、共有制御物理チャネルの復号については、共有制御物理チャネルはセル＃Ｃのみでリンクしているので、従来のフィンガ割り当て方法では、セル＃Ｃのパスがフィンガに割り当てられず、共有制御物理チャネルが復号されないが、本実施の形態のＣＤＭＡ受信装置では、セル＃Ｃは優先割り当てセルとして指定することができ、セル＃Ｃのパスは優先的に割り当てられる（図２の例では、パス＃Ｃ＃１が割り当てられている）ので、割り当てられたタイミングで受信信号を逆拡散し、共有制御物理チャネルを復号することができる可能性が高くなる。
【０１１４】
さらに、ＳＳＤＴ適用時のプライマリセルから送信される個別物理チャネルの復号について説明する。図５の例では、共有制御物理チャネル用のセル＃Ｃを優先割り当てセルの一つとし、もう一つの優先割り当てセルをセル＃Ａとしている。本実施の形態では、フィンガ割り当て周期とＳＳＤＴ制御周期のバウンダリでは、プライマリセルを優先割り当てセルとして決定されてからプライマリセルのパスが割り当てられる。また、フィンガ割り当て周期内では、割り当てられているセルをプライマリセルとして決定するので、プライマリセルのパスは優先的にフィンガに割り当てられている。これにより、プライマリセルから送信された信号を割り当てられたタイミングで逆拡散し、個別物理チャネルを復号することができる可能性が高くなる。
【０１１５】
なお、本発明の実施の形態においても、実施の形態１のＲＡＫＥ合成方法を適用し、受信性能の向上を図るものとする。
【０１１６】
このように本発明の実施の形態によれば、ＳＨＯ通信中にリンクしているセルのうちＭ個のセルについては、Ｎ個のパスにオフセットを設け、フィンガに割り当てられやすくするので、シャドウイング等の影響により、あるセルのパスが急に失われても、他のセルのパスが残る可能性が高いので、通信端末装置は、無線回線の瞬断の可能性を少なくし、安定した通信を行うことができる。また、リンク中の複数のセルのうち、１つのセルのみから送信される共有制御物理チャネルのようなチャネルがある場合や、ＳＳＤＴ適用時にプライマリセルから個別物理チャネルを送信する場合でも、共有制御物理チャネル用のセルやプライマリセルを優先割り当てセルとし、優先割り当てセルのＮ個のパスにオフセット量を付加することにより、パスをフィンガに割り当てられやすくすることになるので、共有制御物理チャネルや個別物理チャネルを復号することができる可能性が高くなる。
【０１１７】
（実施の形態４）
本実施の形態では、フィンガ割り当て及びＲＡＫＥ合成に用いられるパラメータを受信環境に応じて変更する場合について説明する。
【０１１８】
図１１は、本発明の実施の形態４に係るＣＤＭＡ受信装置の構成を示すブロック図である。ただし、この図において、図１と共通する部分は図１と同一の符号を付し、その詳しい説明は省略する。図１１が図１と異なる点は、通信端末装置の受信環境を監視する受信環境監視部１１０１を追加した点と、固定されたパラメータを扱う制御部１０１から可変のパラメータを扱う制御部１１０２に変更した点と、フィンガ管理部１０４をフィンガ管理部１１０３に変更した点とである。
【０１１９】
受信環境監視部１１０１は、通信端末装置の受信環境を監視し、監視した受信環境を制御部１１０２に通知する。受信環境としては、通信端末装置で管理している周辺セル情報（通信端末装置の周辺に存在するセルが多いか少ないか等の情報）、通信端末装置が間欠受信を行っているか通常の通信を行っているか等を示す制御モード、基地局装置からの下り埋め込み情報やＡＦＣ（Ａｕｔｏｍａｔｉｃ　Ｆｒｅｑｕｅｎｃｙ　Ｃｏｎｔｒｏｌ）などから推測する通信端末装置の移動速度、復号部からのＢＥＲ（Ｂｉｔ　Ｅｒｒｏｒ　Ｒａｔｅ）情報などがある。
【０１２０】
制御部１１０２は、受信環境監視部１１０１から通知された受信環境に応じてフィンガ割り当て及びＲＡＫＥ合成に用いられるパラメータを変更する制御を、遅延プロファイル生成部１０２、フィンガ管理部１１０３、ＲＡＫＥ合成部１０６に対して行う。
【０１２１】
フィンガ管理部１１０３は、制御部１１０２の制御に基づいて、フィンガ割り当てに用いるパラメータを反映し、フィンガ割り当てを行う。
【０１２２】
図１２は、本発明の実施の形態４に係るフィンガ管理部１１０３の内部構成を示すブロック図である。ただし、図１２は、図９のフィンガ管理部９００から、パス数指定部２０１とセル数指定部９０１を削除したものである。図１２のオフセット生成部９０２とフィンガ割り当て部９０３は、図９と共通するので、その詳しい説明は省略する。
【０１２３】
ここで、本実施の形態において用いられるパラメータについて説明する。まず、本発明のフィンガ割り当て方法（フィンガ割り当てアルゴリズム）を適用するか否かを表すスイッチフラグ（Ｓｗｆ）である。フィンガ割り当てアルゴリズムを適用する場合には、Ｓｗｆをオンにし、適用しない場合には、Ｓｗｆをオフにする。
【０１２４】
次に、優先的にフィンガに割り当てなければならないパスをいくつのセルから受けるかを示す優先割り当てセル数Ｍである。優先割り当てセル数Ｍは、リンク中のセル数以下の値として指定される。そして、制御部１１０２は、優先割り当てセル数Ｍに従って優先割り当てセルを指定し、指定されたセルは、優先割り当てセル情報（Ｉｎｆｆ）でフィンガ管理部１１０３及びＲＡＫＥ合成部１０６に通知される。なお、Ｍの指定はＳｗｆがオンのときのみ行われる。また、Ｉｎｆｆは、Ｍが０以外で生成される。
【０１２５】
次に、優先割り当てセル情報で通知されるセルについて、当該セルからのパスの相関値が大きい順に上位いくつまでのパスにオフセット量を付加するかを示す優先割り当てパス数Ｎである。なお、Ｎの指定はＳｗｆがオン、Ｍが０以外のときにのみ行われる。
【０１２６】
次に、オフセット生成部９０２に対してどれだけのオフセット量を生成させるかを示すオフセット量Ｆである。なお、オフセット量Ｆの制御はＳｗｆがオン、Ｍが０以外、Ｎが０以外のときにのみ行われる。
【０１２７】
次に、実施の形態１のＲＡＫＥ合成方法（ＲＡＫＥ合成アルゴリズム）を適用するか否かを表すスイッチフラグ（Ｓｗｒ）である。ＲＡＫＥ合成アルゴリズムを適用する場合には、Ｓｗｒをオンにし、適用しない場合には、Ｓｗｒをオフにする。Ｓｗｒがオンのときには、ＲＡＫＥ合成部１０６がフィンガ毎の受信レベルを測定し、測定結果から受信レベルの小さいフィンガをＲＡＫＥ合成対象から外す。制御部１１０２はＲＡＫＥ合成対象フィンガ選択周期Ｔを制御する。
【０１２８】
次に、上記構成を有するＣＤＭＡ受信装置のパラメータ設定動作について説明する。図１３は、本発明の実施の形態４に係るＣＤＭＡ受信装置のパラメータ設定動作を示すフロー図である。この図において、ステップ（以下、「ＳＴ」と省略する）１３０１では、制御部１１０２において、Ｓｗｆをオンにし、実施の形態３に示したフィンガ割り当て方法（フィンガ割り当てアルゴリズム）を適用する。
【０１２９】
ＳＴ１３０２では、リンクセル数Ｎｌｃが１を越えるか否かを判定し、ＳＨＯを行っているかを判定する。すなわち、リンク中のセル数Ｎｌｃが１を越えていればＳＨＯを行っており、ＳＴ１３０３に移行し、リンク中のセル数Ｎｌｃが１であればＳＨＯを行っておらず、ＳＴ１３０９に移行する。
【０１３０】
ＳＴ１３０３では、１セルのみ他のセルに比べて一定以上の電界強度を有するか否かを比較判定する。一定以上の電界強度を有する場合は、ＳＴ１３０４に移行し、一定以上の電界強度を有さない場合は、ＳＴ１３０５に移行する。
【０１３１】
ＳＴ１３０４では、優先割り当てセル数Ｍを２に設定し、優先割り当てセル情報（Ｉｎｆｆ）を電界強度の大きい上位２セルを選択する。また、オフセット量Ｆを大きく設定し、ＳＴ１３０６に移行する。
【０１３２】
ＳＴ１３０５では、優先割り当てセル数Ｍをリンクセル数Ｎｌｃとし、優先割り当てセル情報（Ｉｎｆｆ）をリンク中の全セルとする。また、オフセット量Ｆを小さく設定し、ＳＴ１３０６に移行する。
【０１３３】
ＳＴ１３０６では、自装置が静止中か否かを判定し、静止中であればＳＴ１３０７に移行し、静止中でなければＳＴ１３０８に移行する。ＳＴ１３０７では、割り当て指定パス数Ｎを１に、ＲＡＫＥ合成対象フィンガ選択周期Ｔを長く設定し、ＳＴ１３１０に移行する。ＳＴ１３０８では、割り当て指定パス数Ｎを２に、ＲＡＫＥ合成対象フィンガ選択周期Ｔを短く設定し、ＳＴ１３１０に移行する。
【０１３４】
ＳＴ１３０９では、ＳＴ１３０２において、ハンドオーバではないと判定されたので、Ｓｗｆをオフにし、Ｍを１に設定し、ＳＴ１３１０に移行する。
【０１３５】
ＳＴ１３１０では、Ｓｗｒをオンにし、実施の形態１のＲＡＫＥ合成方法（ＲＡＫＥ合成アルゴリズム）を適用する。
【０１３６】
ＳＴ１３１１では、ＳＳＤＴ制御を行っているか否かを判定し、ＳＳＤＴ制御を行っていれば、ＳＴ１３１２に移行し、ＳＳＤＴ制御を行っていなければ、パラメータ設定動作を終了する。
【０１３７】
ＳＴ１３１２では、Ｓｗｒをオフにし、優先割り当てセル情報（Ｉｎｆｆ）にプライマリセルを指定する情報を含める。プライマリセルを指定する情報が含まれていなかった場合には、プライマリセルを指定する情報を含める入れ替え処理を行う。また、ＲＡＫＥ合成対象フィンガ選択周期ＴをＳＳＤＴ制御単位とする。以上で、パラメータ設定動作を終了する。
【０１３８】
以下に、フィンガ割り当て及びＲＡＫＥ合成に用いるパラメータを通信端末装置の受信環境に応じて変更することによる効果を記す。
【０１３９】
ＳＴ１３０３において、ある１セルの電界強度が他のセルの電界強度に比べ、一定以上強いと判断された場合（Ｙｅｓと判断された場合）は、電界強度が一番強いセルから受信した信号のみで十分な受信性能を確保すると考えられ、電界強度が一番強いセルからのパスを集中的にフィンガに割り当てる。これは、他のセルからのパスをフィンガに割り当てても受信性能は大幅に向上せず、限られたフィンガ数を有効に活用することを考慮したからである。一方、電界強度の一番強いセルからのパスがシャドウイングなどで途切れた場合を考慮すると、他のセルのうち最低１セルのパスをフィンガに割り当てておきたい。これにより、ＳＴ１３０４において、優先割り当てセル数Ｍを２とし、優先割り当てセル情報（Ｉｎｆｆ）を電界強度の上位２セルとすることにより、瞬断の可能性を低減し、限られたフィンガの有効活用を図ることができる。
【０１４０】
また、ＳＴ１３０３において、ある１セルの電界強度が他のセルの電界強度に比べ、一定以上強いと判断されない場合（Ｎｏと判断された場合）は、さほど大差ない電界強度のセルが複数存在していることになる。この場合、１つのセルの複数パスを集中的にフィンガに割り当てても十分な受信性能を確保できない一方、シャドウイングによる無線回線の瞬断の可能性が高くなってしまう。このため、ＳＴ１３０５において、できるだけ多くのセルのパスをフィンガに割り当てるため、優先割り当てセル数Ｍをリンクセル数Ｎｌｃとし、優先割り当てセル情報（Ｉｎｆｆ）をリンク中の全セルとすることにより、シャドウイングによる無線回線の瞬断の可能性を低減することができる。
【０１４１】
ＳＴ１３０３において、Ｙｅｓ判断された場合は、上述したように受信性能に関して支配的であると考えられるセルからの信号がシャドウイングなどで途切れた場合を考慮して、他のセルのうち最低１セルのパスはフィンガに割り当てておいた方がよい。従って、優先割り当てセル数Ｍが１より大きく、かつ、オフセット量Ｆを大きくすることにより、他のセルのパスが割り当てられる可能性が高くなる分、無線回線の瞬断の可能性を少なくした受信を行うことができる。また、Ｎｏと判断された場合は、さほど大差ない電界強度のセルが複数存在していることになる。従って、オフセット量Ｆを大きくしなくても、複数のセルのパスがフィンガに割り当てられている可能性が高いと考えられ、この場合は、相関値の大きいパスを割り当てた方が受信性能はよくなると考えられる。従って、先の条件の場合にくらべ、オフセット量Ｆを小さくするのである。
【０１４２】
ＳＴ１３０６において、ＳＨＯ通信中に、自装置が静止中であると判断された場合、フェージングによるパスの振幅／位相変動が大きくなる可能性は小さいと考えられる。このため、セル毎の復調を考えた場合、セル内で最大相関値を有する１つのパスだけがフィンガに割り当てられていても安定した受信を行うことができる。そこで、ＳＴ１３０７において、割り当て指定パス数Ｎを１とすることで、各セルにおいて相関値の大きさが２番目以降のパスの割り当てを避け、受信性能の向上及び消費電力の低減を図ることができる。また、受信性能の向上は、送信電力制御により周波数あたりの通信端末装置の収容能力を高めることにつながる。また、ＳＴ１３０６において、静止中でないと判断された場合、フェージングによるパスの振幅／位相変動が大きくなる可能性は大きいので、できるだけ多くのセル及びパスを割り当てることを考え、ＳＴ１３０８において、割り当て指定パス数Ｎを２とする。これにより、無線回線の瞬断の可能性を低減することができる。
【０１４３】
さらに、ＳＴ１３０６において、自装置が静止中であると判断された場合、フェージングによるパスの振幅／位相変動が大きくなる可能性は小さいので、ＳＴ１３０７において、ＲＡＫＥ合成対象フィンガ選択周期Ｔを長くし制御周期を長くしても、受信レベルの変動に追従することができる。そして、これにより、受信レベルの測定頻度は低くなるので処理量が減少し、消費電力の低減を図ることができる。一方、ＳＴ１３０６において、自装置が静止中ではない（移動中）と判断された場合、フェージングによるパスの振幅／位相変動は大きいと予想されるので、ＳＴ１３０８において、ＲＡＫＥ合成対象フィンガ選択周期Ｔを短くして、変動に追従するようにすることで、受信性能の向上を図ることができる。
【０１４４】
フィンガ割当てアルゴリズムは、ＳＨＯを行う場合、複雑な制御を必要とする実施の形態３のフィンガ割当てアルゴリズムを採用するのに対し、ＳＨＯを行わない場合、複雑な制御を必要としない従来通りのアルゴリズムを採用し、１セルからのパスの相関値を大小判定することによって、フィンガに割り当てるか否かを判定する（ＳＴ１３０９に相当）。これにより、実施の形態３のフィンガ割り当てアルゴリズムと従来のフィンガ割り当てアルゴリズムを共用し、ＳＨＯを行わない場合は、従来の単純なアルゴリズムを採用することにより、実施の形態３のフィンガ割り当てアルゴリズムを用いた場合に比べ、処理量の削減及び消費電力の削減を図ることができる。
【０１４５】
ＳＴ１３１１において、ＳＳＤＴ制御を行っていると判断された場合には、ＳＴ１３１２において、優先割り当てセル情報（Ｉｎｆｆ）にプライマリセルを必ず含むように制御する。これにより、プライマリセルのパスがフィンガに割り当てられやすくなり、個別物理チャネルを復号することができる可能性が高くなる。
【０１４６】
ＳＴ１３１２において、ＳＳＤＴ制御中には、プライマリセルからのみ個別物理チャネルが送信されているので、プライマリセルのパスの相関値が低かった場合、ＲＡＫＥ合成されないことを避けるためＳｗｒをオフにする。ＳＳＤＴ制御を行わない場合は、短い周期で受信レベルを測定し、受信レベルの大きいパスをレイク合成に使用することで、受信性能の向上を図っている。
【０１４７】
また、ＳＳＤＴ制御時には、ＳＴ１３１２において、ＲＡＫＥ合成対象フィンガ選択周期ＴをＳＳＤＴ制御単位と一致させることにより、回路規模を削減することができる。これは、実施の形態３の図４で示した、受信レベル第１測定部４０１と受信レベル第２測定部４０２の測定周期を一致させることを可能とし、それぞれ別々な制御で測定していたものを、フィンガ毎の受信レベル測定結果をセル毎の受信レベル測定に使用することにより、セル毎の受信レベル測定を行う受信レベル第１測定部４０１を削減することができるからである。
【０１４８】
このように本発明の実施の形態によれば、フィンガ割り当て及びＲＡＫＥ合成に用いるパラメータを受信環境に応じて変更することにより、無線回線の瞬断の可能性を低減し、受信性能の向上及び消費電力の削減を図ることができる。
【０１４９】
（実施の形態５）
本実施の形態では、上述したフィンガ割り当て方法及びＲＡＫＥ合成方法を基地局装置に適用し、かつ、フィンガ割り当て及びＲＡＫＥ合成に用いるパラメータを受信環境に応じて変更する場合について説明する。
【０１５０】
図１４は、ＳＨＯ通信中の上り受信の概念図を示したものである。この図において、通信端末装置は、２セクタ３セルと同時にリンクしている。すなわち、通信端末装置は、セクタ＃Ａのセル＃Ａ及びセル＃Ｄ、セクタ＃Ｂのセル＃Ｂ、セクタ＃Ｃのセル＃Ｃとリンクしている。また、通信端末装置からの上り信号は、建物や山による反射により遅延波が生じ、各々減衰しながら各セルのアンテナで受信される。図１４では、パスの経路（パス＃Ａ＃１〜パス＃Ｅ＃１）を概念的に点線で示した。セクタ＃Ａのセル＃Ａ〜セル＃Ｄに着目し、セル毎に受信した信号の遅延プロファイルを図右上に示す。４つの遅延プロファイルは、セル毎に受信した最大パスを遅延プロファイル窓の中心にしたものである。また、パス＃Ａ＃１〜パス＃Ｄ＃１の相関値を示した。
【０１５１】
図１５は、本発明の実施の形態５に係る基地局受信装置の構成を示すブロック図である。この図において、受信環境監視部１５０１は、リンク中の通信端末装置における受信環境を監視し、監視した受信環境を制御部１５０２に通知する。受信環境には、同一無線基地局内（同一セル内）のセル毎に存在する通信端末装置から送信された信号の受信レベルや、通信端末装置の静止状態又は移動状態などを含む。これらの受信環境は、基地局装置内で行われる測定によって知ることができたり、通信端末装置から送信される情報に含まれていたりする。
【０１５２】
制御部１５０２は、受信環境監視部１５０１から通知された受信環境に応じてパラメータを変更し、遅延プロファイル生成部１５０３、パス及びフィンガ管理部１５０４、ＲＡＫＥ合成部１５０６を制御する。具体的には、制御部１５０２は、実施の形態１から実施の形態３のフィンガ割り当て方法（フィンガ割り当てアルゴリズム）のいずれかを適用するか否かを選択し、適用する場合には、フィンガ割り当てアルゴリズムのスイッチフラグ（Ｓｗｆ）をオンにし、適用しない場合には、Ｓｗｆをオフにする。また、各セルにおけるパスの相関値が大きい順に上位いくつまでのパスにオフセットを付加するかを示す割り当て指定パス数Ｎを指定する。なお、Ｎの指定はＳｗｆがオンのときにのみ行われる。また、制御部１５０２は、オフセット生成部に対してどれだけのオフセット量を生成させるかを制御する。なお、オフセット量の制御はＳｗｆがオン、Ｎが０以外のときにのみ行われる。
【０１５３】
遅延プロファイル生成部１５０３は、セル毎のアンテナで受信した信号と制御部１５０２から通知された拡散コードとで相関をとり、遅延プロファイルを生成し、生成した遅延プロファイルをパス及びフィンガ管理部１５０４に出力する。
【０１５４】
パス及びフィンガ管理部１５０４は、制御部１５０２から指示されたパラメータに従って、フィンガの割り当てを行う。フィンガ割り当て結果は、逆拡散部１５０５及びＲＡＫＥ合成部１５０６に出力される。
【０１５５】
逆拡散部１５０５は、パス及びフィンガ管理部１５０４から出力されたフィンガ割り当て結果、すなわち、逆拡散タイミングに従って、受信信号を逆拡散し、逆拡散結果をＲＡＫＥ合成部１５０６に出力する。
【０１５６】
ＲＡＫＥ合成部１５０６は、制御部１５０２からの制御に従って、逆拡散部１５０５の各フィンガから出力された逆拡散結果をＲＡＫＥ合成し、合成結果を図示しない復号部又は上位局に出力する。
【０１５７】
次に、上記構成を有する基地局受信装置のパラメータ設定動作について説明する。図１６は、本発明の実施の形態５に係る基地局受信装置のパラメータ設定動作を示すフロー図である。この図において、ＳＴ１６０１では、制御部において、Ｓｗｆをオンにし、実施の形態１から実施の形態３に示したいずれかのフィンガ割り当て方法（フィンガ割り当てアルゴリズム）を適用する。
【０１５８】
ＳＴ１６０２では、リンクセル数Ｎｌｃが１を越えるか否かを判定し、ＳＨＯを行っているかを判定する。すなわち、リンク中のセル数Ｎｌｃが１を越えていればＳＨＯを行っており、ＳＴ１６０３に移行し、リンク中のセル数Ｎｌｃが１であればＳＨＯを行っておらず、ＳＴ１６０９に移行する。
【０１５９】
ＳＴ１６０３では、１セルのみ他のセルに比べて一定以上の受信強度を有するか否かを比較判定する。一定以上の受信強度を有する場合は、ＳＴ１６０４に移行し、一定以上の受信強度を有さない場合は、ＳＴ１６０５に移行する。
【０１６０】
ＳＴ１６０４では、オフセット量Ｆを大きく設定し、ＳＴ１６０５では、オフセット量Ｆを小さく設定する。ＳＴ１６０６では、自装置が静止中か否かを判定し、静止中であればＳＴ１６０７に移行し、静止中でなければＳＴ１６０８に移行する。ＳＴ１６０７では、割り当て指定パス数Ｎを１に設定し、ＳＴ１６０８では、割り当て指定パス数Ｎを２に設定し、それぞれパラメータ設定動作を終了する。
【０１６１】
ＳＴ１６０９では、ＳＴ１６０２において、ＳＨＯ通信中ではないと判断されたことにより、Ｓｗｆをオフにし、Ｍを１に設定し、パラメータ設定動作を終了する。
【０１６２】
以下に、フィンガ割り当て及びＲＡＫＥ合成に用いるパラメータを通信端末装置の受信環境に応じて変更することによる効果を記す。
【０１６３】
ＳＴ１６０３において、ある１セルでの受信強度が他のセルでの受信強度に比べ、一定以上強いと判断された場合は、受信強度が一番強い１つのセルでの信号が受信性能に関して支配的であると考えられるが、そのセルでの受信信号がシャドウイングなどで途切れた場合を考慮して、他のセルのうち最低１セルのパスはフィンガに割り当てておいた方がよい。従って、優先割り当てセル数Ｍが１より大きく、他のセルのパスが割り当てられる可能性が高くなる分、無線回線の瞬断の可能性を少なくした受信を行うことができる。また、ある１セルでの受信強度が他のセルでの受信強度に比べ、一定以上強いと判断されない場合は、さほど大差ない受信強度のセルが複数存在していることになる。従って、オフセット量Ｆを大きくしなくても、複数のセルのパスがフィンガに割り当てられている可能性が高いと考えられ、この場合は、相関値の大きいパスを割り当てた方が受信性能はよくなると考えられる。従って、先の条件の場合にくらべ、オフセット量Ｆを小さくする。
【０１６４】
ＳＴ１６０６において、受信対象の通信端末装置が静止中であると判断された場合、フェージングによるパスの振幅／位相変動が大きくなる可能性は小さいと考えられる。このため、セル毎の復調を考えた場合、セル内で最大相関値を有する１つのパスだけがフィンガに割り当てられていても安定した受信を行うことができる。そこで、ＳＴ１６０７において、割り当て指定パス数Ｎを１とすることで、各セルにおいて相関値の大きさが２番目以降のパスの割り当てを避け、受信性能の向上及び消費電力の低減を図ることができる。また、受信性能の向上は、送信電力制御により周波数あたりの通信端末装置の収容能力を高めることにつながる。また、ＳＴ１６０６において、静止中でないと判断された場合、フェージングによるパスの振幅／位相変動が大きくなる可能性は大きいので、できるだけ多くのセル及びパスを割り当てることを考え、ＳＴ１６０８において、割り当て指定パス数Ｎを２とする。これにより、無線回線の瞬断の可能性を低減することができる。
【０１６５】
フィンガ割当てアルゴリズムは、ＳＨＯを行う場合、複雑な制御を必要とする本発明のフィンガ割当てアルゴリズムを採用するのに対し、ハンドオーバを行わない場合、複雑な制御を必要としない従来通りのアルゴリズムを採用し、１セルでのパスの相関値を大小判定することによって、フィンガに割り当てるか否かを判定する（ＳＴ１６０９に相当）。これにより、本発明のフィンガ割り当てアルゴリズムと従来のフィンガ割り当てアルゴリズムを共用し、ＳＨＯを行わない場合は、従来の単純なアルゴリズムを採用することにより、本発明のフィンガ割り当てアルゴリズムを用いた場合に比べ、処理量の削減及び消費電力の削減を図ることができる。
【０１６６】
このように本発明の実施の形態によれば、実施の形態３のフィンガ割り当て方法を基地局装置に適用し、フィンガ割り当てに用いるパラメータを通信端末装置の受信環境に応じて変更することにより、無線回線の瞬断の可能性を低減し、受信性能の向上及び消費電力の削減を図ることができる。
【０１６７】
【発明の効果】
以上説明したように、本発明によれば、ＳＨＯ通信中に、リンクしているセルのうち異なる２つ以上のセルからのパスを必ずフィンガに割り当てるようにすることにより、通信端末装置が建物の影などに入るシャドウイング等の影響で、急にパスが失われた場合でも、無線回線が瞬断する可能性を低減することができる。
【図面の簡単な説明】
【図１】本発明の実施の形態１に係るＣＤＭＡ受信装置の構成を示すブロック図
【図２】本発明の実施の形態１に係るフィンガ管理部の内部構成を示すブロック図
【図３】本発明の実施の形態１におけるフィンガ割り当ての様子を説明するための図
【図４】本発明の実施の形態１に係るＲＡＫＥ合成部の内部構成を示すブロック図
【図５】本発明の実施の形態１に係るＲＡＫＥ合成部の合成タイミング図
【図６】本発明の実施の形態１に係るＲＡＫＥ合成部の合成タイミング図
【図７】本発明の実施の形態２に係るフィンガ管理部の内部構成を示すブロック図
【図８】本発明の実施の形態２におけるフィンガ割り当ての様子を説明するための図
【図９】本発明の実施の形態３に係るフィンガ管理部の内部構成を示すブロック図
【図１０】本発明の実施の形態３におけるフィンガ割り当ての様子を説明するための図
【図１１】本発明の実施の形態４に係るＣＤＭＡ受信装置の構成を示すブロック図
【図１２】本発明の実施の形態４に係るフィンガ管理部の内部構成を示すブロック図
【図１３】本発明の実施の形態４に係るＣＤＭＡ受信装置のパラメータ設定動作を示すフロー図
【図１４】ＳＨＯ通信中の上り受信の様子を示す概念図
【図１５】本発明の実施の形態５に係る基地局受信装置の構成を示すブロック図
【図１６】本発明の実施の形態５に係る基地局受信装置のパラメータ設定動作を示すフロー図
【図１７】ＳＨＯ通信中の下り受信の様子を示す概念図
【図１８】従来におけるフィンガ割り当ての様子を説明するための図
【図１９】従来におけるＳＳＤＴ制御適用時のＲＡＫＥ合成部の合成タイミング図
【符号の説明】
１０１、１１０２　制御部
１０２、１５０３　遅延プロファイル生成部
１０３　パス検出部
１０４、７００、９００、１１０３　フィンガ管理部
１０５、１５０５　逆拡散部
１０６、１５０６　ＲＡＫＥ合成部
２０１　パス数指定部
２０２　フィンガ第１割り当て部
２０３　フィンガ第２割り当て部
４０１　受信レベル第１測定部
４０２　受信レベル第２測定部
４０３　プライマリセル選択部
４０４　ＲＡＫＥ合成パス選択部
４０５　重み付け係数決定部
４０６　シンボル位相調整部
４０７　重み付け処理部
４０８　合成部
７０１、９０１　セル数指定部
９０２　オフセット生成部
９０３　フィンガ割り当て部
１１０１、１５０１　受信環境監視部
１５０４　パス及びフィンガ管理部
【図１】
2004064235.tif 000003
【図２】
2004064235.tif 000004
【図３】
2004064235.tif 000005
【図４】
2004064235.tif 000006
【図５】
2004064235.tif 000007
【図６】
2004064235.tif 000008
【図７】
2004064235.tif 000009
【図８】
2004064235.tif 000010
【図９】
2004064235.tif 000011
【図１０】
2004064235.tif 000012
【図１１】
2004064235.tif 000013
【図１２】
2004064235.tif 000014
【図１３】
2004064235.tif 000015
【図１４】
2004064235.tif 000016
【図１５】
2004064235.tif 000017
【図１６】
2004064235.tif 000018
【図１７】
2004064235.tif 000019
【図１８】
2004064235.tif 000020
【図１９】
2004064235.tif 000021